(57)【特許請求の範囲】
【請求項１】
前後の長手方向に折り重ねられた生理用ナプキンと、該ナプキンが封入された個袋とからなり、前記ナプキンがその裏面に形成された着用ショーツ止着用粘着域を剥離紙によって被覆保護され、前記個袋が前記ナプキンを挟む上面シート部分と下面シート部分とによって形成され、該個袋の平面形状が２組の互いに平行な２辺からなる四角形を呈する個袋入り生理用ナプキンであって、
前記個袋は、前記２組の平行な辺のうちの１組が前記ナプキンの長手方向両端縁に並行し、他の１組が前記ナプキンの幅方向両側縁に並行し、前記個袋の上面シート部分には、前記両端縁に並行する２辺のうちの１辺に始まりもう一方の辺へ向かって延び、前記ナプキンの幅よりも小さい離間寸法で互いに平行に並ぶ２条の引き裂き容易な開封部位が形成され、前記１辺において前記上面シート部分と下面シート部分とが２条の前記開封部位間を除いて接合状態にあって前記開封部位間では非接合状態にあり、
前記ナプキンは、該ナプキンの裏面と前記個袋の上面シート部分内面とが向かい合う状態で該ナプキンの長手方向一端部が前記開封部位の始まる前記個袋の１辺の近傍に配置され、該一端部の裏面を被覆している前記剥離紙が前記上面シート部分内面に前記２条の開封部位間で接合していることを特徴とする前記ナプキン。
【請求項２】
前記ナプキンは、３０ｍｍ以上の幅を有し、前記２条の開封部位の離間寸法が２０ｍｍ以上であって、前記ナプキンの幅の３／４以下である請求項１に記載のナプキン。
【請求項３】
前記剥離紙の幅が前記２条の開封部位の離間寸法よりも大きい請求項１または２記載のナプキン。
【発明の詳細な説明】
【０００１】
【発明の属する技術分野】
この発明は、個袋入りの生理用ナプキンに関する。
【０００２】
【従来の技術】
実開平７−２１０１８号公報には、個袋入りの生理用ナプキンが開示されている。この個袋は、細長いプラスチックフィルムを、長手方向両端部が重なり合うように三層に折曲し、袋の両側縁部で重なり合うフィルムどうしを溶着することにより形成されている。ナプキンを取り出すときには、その溶着部位に沿ってフィルムを引き裂けばよい。ナプキンは、その裏面に粘着域が形成され、該粘着域を被覆保護する剥離シートは、その一端部がフィルムの内面に固着している。ナプキンを取り出すと、剥離紙が自動的に剥れてフィルム側に残る。
【０００３】
【発明が解決しようとする課題】
前記公知の個袋入り生理用ナプキンからナプキンを取り出すときには、個袋が両側縁部で引き裂いて、大きく口を開ける。この個袋は、ナプキンの取り出しが容易である反面、口が開いた個袋にナプキンを再び納めておくことは難しい。例えば、取り出したナプキンを使用することなくもう一度しまっておきたいときに、元の個袋を利用することができない。ナプキンを個袋に収納しなければ、塵埃で汚れ、不衛生なものになりかねない。しかしながら、ナプキンを取り出すときに剥離紙が自動的に剥れる形式の個袋では、一般に、その個袋を破ることが不可欠であって、これまでのところ、そのような形式の個袋を再度使用できるようにする有効な技術は見当たらない。
【０００４】
そこで、この発明は、個袋入り生理用ナプキンにおいて、一度開封した個袋を再び利用できるようにすることを課題にしている。
【０００５】
【課題を解決するための手段】
前記課題を解決するために、この発明が前提とするのは、前後の長手方向に折り重ねられた生理用ナプキンと、該ナプキンが封入された個袋とからなり、前記ナプキンがその裏面に形成された着用ショーツ止着用粘着域を剥離紙によって被覆保護され、前記個袋が前記ナプキンを挟む上面シート部分と下面シート部分とによって形成され、該個袋の平面形状が２組の互いに平行な２辺からなる四角形を呈する個袋入り生理用ナプキンである。
【０００６】
かかる前提において、この発明が特徴とするところは、前記個袋の前記２組の平行な辺のうちの１組が前記ナプキンの長手方向両端縁に並行し、他の１組が前記ナプキンの幅方向両側縁に並行し、前記個袋の上面シート部分には、前記両端縁に並行する２辺のうちの１辺に始まりもう一方の辺へ向かって延び、前記ナプキンの幅よりも小さい離間寸法で互いに平行に並ぶ２条の引き裂き容易な開封部位が形成され、前記１辺において前記上面シート部分と下面シート部分とが２条の前記開封部位間を除いて接合状態にあって前記開封部位間では非接合状態にあり、前記ナプキンは、該ナプキンの裏面と前記個袋の上面シート部分内面とが向かい合う状態で該ナプキンの長手方向一端部が前記開封部位の始まる前記個袋の１辺の近傍に配置され、該一端部の裏面を被覆している前記剥離紙が前記上面シート部分内面に前記２条の開封部位間で接合していること、にある。
【０００７】
【発明の実施の形態】
添付の図面を参照し、この発明に係る個袋入り生理用ナプキンの詳細を説明すると、以下のとおりである。
【０００８】
図１に斜視図で示された個袋入り生理用ナプキンは、個袋１が実線で、個袋１に収納されたナプキン２が仮想線で示されている。
【０００９】
個袋１は、プラスチックフィルム製の矩形または正方形の袋であって図示の状態にあるときの個袋１は、胴部が上面シート部分４と下面シート部分５とで構成され、四周に前後端縁６，７と左右側縁８，９とを有し、前端縁６を除き、端縁７と側縁８，９とにおいて上下面シート４，５は実質的に口を開くことがないように溶着線１０において一体になっている。
【００１０】
前端縁６は、その幅方向が中央域６Ａと左右の側域６Ｂとにわかれ、中央域６Ａでは、上下面シート部分４と５とが非接合状態にあり、側域６Ｂではそれら両シート部分４，５が実質的に口を開くことがないように溶着線１０で一体になっている。ナプキン２の幅が３０ｍｍ以上であるときに、中央域６Ａの幅は２０ｍｍ以上であって、かつ、ナプキン２の幅の３／４以下に設定される。かかる中央域６Ａは、個袋１を開封するための上面シート部分４に対する摘持部分、好ましくは、上下面シート部分４，５間に指を挿入することができる摘持部分となる。中央域６Ａを形成する上面シート部分４には、該域６Ａの幅方向両端部に始まり、後端縁７へ向かって延びる２条の引き裂き容易なミシン目１１が施されている。上面シート部分４を中央域６Ａで摘持して矢印Ｐで示される上方へ引っ張ると、両ミシン目１１において上面シート４が裂けて個袋１が開封状態となる。ただし、両ミシン目１１は、後端縁７の手前で終っており、上面シート４は、そのミシン目１１が終わるところまで裂けて止まる。
【００１１】
図２は、図１のＩＩ−ＩＩ線断面図であるが、ナプキン２は側面図で示されている。ナプキン２は、肌当接面を内側にして前後端部が重なり合うように長手方向が三層に折曲されている。折曲されて外側となる肌に対する非当接面には、ナプキン２を着用ショーツ（生理用パンティ）へ止着するための粘着剤１２が塗布されている。粘着剤１２は、剥離紙１３で被覆保護され、その剥離紙１３は、一端部が個袋１の上面シート部分４内面に剥離することがないようにホットメルト接着剤１５を介して取り付けられている（図１を併せて参照）。剥離紙１３の幅は、両ミシン目１１の離間寸法よりも小さくすることも可能であるが、好ましくは、図示のようにその離間寸法より僅かに大きく、剥離紙１３の左右側縁部分１６それぞれが、ミシン目１１と個袋側縁８または９との間の上面シート側縁部分４Ａの下に位置するように調整される。
【００１２】
このように構成された個袋入り生理用ナプキンでは、一方の手で個袋１の中央域６Ａ近傍を持ち、もう一方の手で中央域６Ａの上面シート部分４を摘持して矢印Ｐ方向へ引っ張り、開封すると、剥離紙１３が上面シート４と共に動いてナプキン２から剥れ始める。次に、上面シート４を摘持したまま、前記一方の手を持ちかえて中央域６Ａにのぞむナプキン２の端部２Ａを個袋１の外へ向かう矢印Ｑ方向へ引っ張ると、ナプキン２を取り出すことができる。このような取り出し過程の途中で、そのナプキンの使用を止めるときには、ナプキン２を剥離紙１３と共に三つ折りの状態に戻し、剥離紙１３の側縁部１６も元のように上面シート側縁部分４Ａの下へ納め、かつ、剥離紙１３を粘着剤１２に止着する。再び個袋１に納められたナプキン２と剥離紙１３とは、それらの長手方向側縁部分が個袋１の上下面シート部分４，５間に挿入された状態となり、個袋１の外へ簡単に出ることができない。また、剥離紙１３に固着している上面シート部分４の両ミシン目１１間の部分は、剥離紙１３と共に動いて個袋１を殆ど閉じた状態にし、個袋１への塵埃の侵入を阻止することができる。また、この個袋入り生理用ナプキンは、中央域６Ａでは、２０ｍｍ以上の幅にわたって非接合状態にある上下面シート４，５が指先を挿入可能な開口を形成しているから、開封の際には、この開口に指を一本挿入すると上面シート４の摘持が極めて容易になる。最も、その開口からの塵埃の侵入を嫌う場合には、中央域６Ａにおける上下面シート４，５を簡単に開口できるように小さな面積で溶着しておくこともできる。
【００１３】
【発明の効果】
この発明にかかる個袋入り生理用ナプキンは、一度開封した個袋を殆ど閉じた状態に戻すことができるから、一度取り出しかけたナプキンを塵埃で汚すことなく再びしまっておくことができる。開口部に指を挿入できるようにしたこの発明にかかる個袋では、個袋の摘持が容易で開封に手間取ることがない。
【図面の簡単な説明】
【図１】個袋入り生理用ナプキンの斜視図。
【図２】図１のＩＩ−ＩＩ線断面図。
【符号の説明】
１    個袋
２    ナプキン
４    上面シート
５    下面シート
６，７    端縁
８，９    側縁
１１    開封部位（ミシン目）
１３    剥離紙
１５    粘着域
【図１】
0003549988.tif 000002
【図２】
0003549988.tif 000003